(57)【要約】　　　（修正有）【課題】生活空間内のアレルゲン汚染場所である床面に用いることにより、該床面を破壊等することなく、該床面に存在するアレルゲンを効果的に低減化することができ、アレルギー疾患を抱える患者であってもアレルギー症状を起こすことなく快適に生活できるアレルゲン低減化効果を有する床用艶出し剤を提供する。【解決手段】ワックス成分に、（１）１価又はそれ以上のフェノール基を繰り返し単位の側鎖に有する高分子化合物、（２）１価のフェノール基を線状高分子の繰り返し単位に有する高分子化合物、（３）アルカリ金属の炭酸塩、（４）明礬、（５）ヒドロキシ安息香酸、（６）ポリフェノール類、（７）有機スルホン酸塩、有機硫酸塩からなる群より選択される化合物の少なくとも１種を含有する床用艶出し剤。【選択図】　　　なし【特許請求の範囲】
【請求項１】
床面上の４０ｎｇ／ｍ２のアレルゲンを１０ｎｇ／ｍ２以下に低減化することができることを特徴とする床用艶出し剤。
【請求項２】
（１）１価又はそれ以上のフェノール基を線状高分子の繰り返し単位の側鎖に有する高分子化合物、
（２）１価のフェノール基を繰り返し単位に有する高分子化合物、
（３）アルカリ金属の炭酸塩、
（４）明礬、
（５）ヒドロキシ安息香酸、
（６）ポリフェノール類、
（７）ラウリルベンゼンスルホン酸塩、ラウリル硫酸塩、及び、ポリオキシエチレンラウリルエーテル硫酸塩からなる群より選択される化合物、並びに、
（８）ポリオキシエチレン鎖及び／若しくはエチレン鎖を分子中に有する２価以上のベンゼンスルホン酸塩、並びに／又は、ポリオキシエチレン鎖及び／若しくはエチレン鎖を分子中に有する２価以上の硫酸塩
からなる群より選択される化合物の少なくとも１種を含有することを特徴とする請求項１記載の床用艶出し剤。
【請求項３】
ラウリルベンゼンスルホン酸塩、ラウリル硫酸塩、及び、ポリオキシエチレンラウリルエーテル硫酸塩からなる群より選択される化合物の少なくとも１種を含有することを特徴とする請求項１記載の床用艶出し剤。
【請求項４】
ポリオキシエチレン鎖及び／若しくはエチレン鎖を分子中に有する２価以上のベンゼンスルホン酸塩、並びに／又は、ポリオキシエチレン鎖及び／若しくはエチレン鎖を分子中に有する２価以上の硫酸塩を含有することを特徴とする請求項１記載の床用艶出し剤。
【発明の詳細な説明】
【０００１】
【発明の属する技術分野】
本発明は、アレルゲン低減化効果を持つ床用艶出し剤に関する。
【０００２】
【従来の技術】
現在、各種のワックス製品は、植物性、鉱物性、動物性のワックス、天然樹脂又はポリエチレン、ポリ酢酸ビニル、ポリ塩化ビニル、ポリスチレン樹脂、アクリル樹脂等の合成樹脂を基材として、これらにミネラルスピリット、ミネラルターペン、ソルベントナフサ、テルペン油等の溶剤、Ｔｗｅｅｎ等の界面活性剤、トリエタノールアミン石鹸等の乳化剤や水溶媒が添加され、また、場合によっては色素、マスキング剤、可塑剤、帯電防止剤等も添加されている。
【０００３】
これらのワックス製品は、床用艶出し剤（フロアポリッシュ又はフロアワックス）、自動車用艶出し剤（カーワックス）、家具・調度用の艶出し剤（つや出し剤）、靴クリーム又は柑橘類の艶出し剤（いわゆるフルーツワックスとして表皮の被膜形成剤）等に使用されている。これらのうち、床用艶出し剤は、家庭内での使用量、使用面積の点から生活空間中の環境に大きな影響力を持っている。
【０００４】
近年、アトピー性皮膚炎、気管支喘息、アレルギー性鼻炎等の多くのアレルギー疾患が問題となってきている。その主な原因は、住居内性ダニ類、特に室内塵中に多いチリダニのアレルゲン（Ｄｅｒ１、Ｄｅｒ２）や、主に春季に猛威を振るうスギ花粉アレルゲン（Ｃｒｉｊ１、Ｃｒｉｊ２）等の多くのアレルゲンが生活空間内に増えてきているためである。
【０００５】
特にチリダニのアレルゲンは、その原因となるチリダニを駆除してもその死虫が更にアレルゲン性の高い物質を生活空間に供給することから、チリダニアレルゲンが原因となるアレルギー疾患を根本的に解決することは困難であった。
また、スギ花粉アレルゲンであるＣｒｉｊ１は分子量約４０ｋＤａの糖蛋白質、Ｃｒｉｊ２は分子量約３７ｋＤａの糖蛋白質であり、鼻粘膜等に付着すると生体外異物として認識され炎症反応を引き起こすものである。
【０００６】
これらのアレルゲンは、生活空間の家具、寝具等あらゆる場所に蓄積されるが、最終的には床面に最も集積される。
とりわけ、アレルゲンが集積された床面に長時間接触すると、アレルギー症状が出て著しく健康を損なうことから、アレルギー疾患を持つ患者にとっては最もアレルゲン低減化が望まれている。
このようなアレルギー疾患の症状を軽減又は新たな感作を防ぐためには、生活空間から完全にアレルゲンを取り除くことが必要であるが、床面に集積されたアレルゲンは非常に小さな微粒子であり、生活空間から完全に除去することは、事実上不可能であった。
【０００７】
また、このようなアレルゲンは、蛋白質であるため、熱や強酸／強アルカリ等で変性させることでアレルゲン性を失うと考えられる。しかしながら、実際は、これらのアレルゲンは非常に安定性が高く、生活空間で安全に使用できる程度の酸化剤、熱、アルカリや酸では容易に分解されないものであった（例えば、非特許文献１参照）。また、これらの方法で無理にアレルゲンを変性させようとすると、アレルゲンの汚染場所である床面が条件によっては破壊されてしまうことがあった。
【０００８】
【非特許文献１】
Ｔｈｅ　Ｊｏｕｒｎａｌ　ｏｆ　Ｉｍｍｕｎｏｌｇｙ　Ｖｏｌ．１４４、ｐ．１３５３−１３６０
【０００９】
【発明が解決しようとする課題】
本発明は、上記現状に鑑み、住居内アレルゲンから生活環境を守るべく、生活空間の床面を破壊することなく、該床面に存在するアレルゲンの抑制に効果がある床用艶出し剤を提供することを目的とする。
【００１０】
【課題を解決するための手段】
本発明は、床面上の４０ｎｇ／ｍ２のアレルゲンを１０ｎｇ／ｍ２以下に低減化することができる床用艶出し剤である。
以下に本発明を詳述する。
【００１１】
本発明の床用艶出し剤は、アレルゲン低減化効果を有する。
本明細書においてアレルゲン低減化効果とは、アレルゲン、特にヒョウヒダニアレルゲン（Ｄｅｒ１、Ｄｅｒ２等）、スギ花粉アレルゲン（Ｃｒｉ１、Ｃｒｉ２）、犬又は猫由来アレルゲン（Ｃａｎ１、Ｆｅｌ１）等のアレルゲンが、床用艶出し剤と接触して変性や吸着を起こすことにより、それらのアレルゲンの特異抗体との反応性が抑制される効果をいう。
【００１２】
アレルゲン低減化効果を確認する手段としては、例えば、ＥＬＩＳＡキット（例えば、ＬＣＤアレルギー研究所社製等）を用いて、ＥＬＩＳＡ法によりアレルゲンの量を測定する方法等が挙げられる。
【００１３】
本発明の床用艶出し剤は、床面上の４０ｎｇ／ｍ２のアレルゲンを１０ｎｇ／ｍ２以下に低減化することができる。
上記１０ｎｇ／ｍ２とは、アレルギー発症の閾値であると考えられており、本発明の床用艶出し剤は、室内のメジャーアレルゲンであるＤｅｒ１、Ｄｅｒ２等のダニアレルゲンにより非常に汚染された状態であるアレルゲン濃度４０ｎｇ／ｍ２をアレルギー発生の閾値である１０ｎｇ／ｍ２以下に低減化することができる
。
本発明の床用艶出し剤は、床面上に存在する４０ｎｇ／ｍ２のアレルゲンをアレルギー感作の閾値であると考えられている５ｎｇ／ｍ２以下に低減化することができることが好ましい。
【００１４】
上記性質を発現し得る本発明の床用艶出し剤は、アレルゲン低減化剤を含有するものである。
上記アレルゲン低減化剤は、本発明の床用艶出し剤に混合分散されて用いられるものであり、アレルゲンを変性させる等して不活性化し、抗原抗体反応を抑制できるものであれば特に限定されないが、例えば、（１）１価又はそれ以上のフェノール基を線状高分子の繰り返し単位の側鎖に有する高分子化合物、（２）１価のフェノール基を繰り返し単位に有する高分子化合物、（３）アルカリ金属の炭酸塩、（４）明礬、（５）ヒドロキシ安息香酸、（６）ポリフェノール類、（７）ラウリルベンゼンスルホン酸塩、ラウリル硫酸塩、及び、ポリオキシエチレンラウリルエーテル硫酸塩からなる群より選択される化合物、並びに、（８）ポリオキシエチレン鎖及び／若しくはエチレン鎖を分子中に有する２価以上のベンゼンスルホン酸塩、並びに／又は、ポリオキシエチレン鎖及び／若しくはエチレン鎖を分子中に有する２価以上の硫酸塩からなる群より選択される化合物の少なくとも１種を含有するものであることが好ましい。
【００１５】
上記（１）１価又はそれ以上のフェノール基を線状高分子の繰り返し単位の側鎖に有する高分子化合物としては特に限定されず、例えば、パラポリビニルフェノール、ポリチロシン等が挙げられる。
【００１６】
上記（２）１価のフェノール基を繰り返し単位に有する高分子化合物としては特に限定されず、例えば、ジオキシ安息香酸重合物等が挙げられる。
【００１７】
上記（３）アルカリ金属の炭酸塩としては特に限定されず、例えば、リチウム、ナトリウム、カリウム、ルビジウム、セシウム、フランシウム等のアルカリ金属の炭酸塩が挙げられる。なかでも、炭酸ナトリウム、炭酸カリウムが好ましい。
【００１８】
上記（４）明礬としては特に限定されず、例えば、硫酸アルミニウムとアルカリ金属やタリウム、アンモニウム等の１価イオンの硫酸塩とからなる複塩が挙げられる。また、アルミニウムをクロム、鉄、等に置き換えた複塩も同様に挙げられる。なかでも、硫酸アルミニウムカリウム、硫酸アルミニウムナトリウムが好適である。特にアレルゲン低減化能力の高い硫酸アルミニウムカリウムは、十二水和物（ＡｌＫ（ＳＯ４）２・１２Ｈ２Ｏ）又は無水物（ＡｌＫ（ＳＯ４）２）で
あるが、水和物が水分子を段階的に失う過程で存在する部分的な水和物であってもよい。なお、上記明礬は、一部がカリミョウバンとして食品添加物や化粧品原料にも指定されていることから安全性が高く、床用艶出し剤等にも好適に用いられうる。
【００１９】
上記（５）ヒドロキシ安息香酸としては特に限定されず、例えば、２，５ジヒドロキシ安息香酸等が挙げられる。
【００２０】
上記（６）ポリフェノール類としては特に限定されず、ベンゼン環に水酸基が直接複数個ついている官能基を持つものであればよい。例えば、各種植物抽出物から精製される精製物より得られるものが挙げられる。上記ポリフェノール類としては特に限定されないが、タンニン酸又はカテキンであることが好ましい。なお、上記植物抽出物から精製される精製物のなかには、上記タンニン酸及びカテキンの他にもアレルゲン低減化剤として機能するものがある。
【００２１】
上記（７）ラウリルベンゼンスルホン酸塩、ラウリル硫酸塩、及び、ポリオキシエチレンラウリルエーテル硫酸塩からなる群より選択される化合物としては特に限定されず、例えば、リチウム、ナトリウム、カリウム、マグネシウム等の金属塩、アンモニウム塩、トリエタノールアミン等のアミン塩が挙げられ、特に好ましくは、ナトリウム塩、トリエタノール塩である。
【００２２】
上記（８）ポリオキシエチレン鎖及び／若しくはエチレン鎖を分子中に有する２価以上のベンゼンスルホン酸塩、並びに／又は、ポリオキシエチレン鎖及び／若しくはエチレン鎖を分子中に有する２価以上の硫酸塩としては特に限定されず、例えば、ラウリルジフェニルエーテルジスルホン酸ジナトリウム等が挙げられる。
【００２３】
なかでも、アレルゲンに汚染された床面を汚染したり損傷したりすることがないことから、本発明の床用艶出し剤は、上記アレルゲン低減化剤として、上記（７）ラウリルベンゼンスルホン酸塩、ラウリル硫酸塩、及び、ポリオキシエチレンラウリルエーテル硫酸塩からなる群より選択される化合物の少なくとも１種を含有することがより好ましい。
また、上述したアレルゲン低減化剤を含有する本発明の床用艶出し剤をフローリングのクリーナーワックスやディスポーザブルクリーナー等に用いる場合、その起泡性のため、上記クリーナーワックスやディスポーザブルクリーナー等を塗布表面に平坦に処理できなかったり、泡残りしたりすることがある。
本発明の床用艶出し剤を低起泡性とすることができることから、本発明の床用艶出し剤は、上記アレルゲン低減化剤として、上記（８）ポリオキシエチレン鎖及び／若しくはエチレン鎖を分子中に有する２価以上のベンゼンスルホン酸塩、並びに／又は、ポリオキシエチレン鎖及び／若しくはエチレン鎖を分子中に有する２価以上の硫酸塩を含有することがより好ましい。
【００２４】
本発明の床用艶出し剤において、上記アレルゲン低減化剤の配合量は、床用艶出し剤１００重量部に対して、好ましい下限は０．０５重量部、好ましい上限は５０重量部である。０．０５重量部未満であると、本発明の床用艶出し剤がアレルゲン低減化効果を充分に発揮することが難しくなることがあり、一方、５０重量部を超えると、本発明の床用艶出し剤を床面上に塗布した場合にべたつき感が出て使用に適さないことがあったり、使用後に塩の析出があり、床面の清掃の必要性が出てくることがあったりする。より好ましい下限は０．１重量部、より好ましい上限は１０重量部である。
【００２５】
更に、本発明の床用艶出し剤には、床面の艶出し等を目的としたワックス基材及び溶剤等が含有されている。
上記ワックス基材としては特に限定されず、例えば、植物性、鉱物性、動物性のワックス、天然樹脂、又は、ポリエチレン、ポリ酢酸ビニル、ポリ塩化ビニル、ポリスチレン樹脂、アクリル樹脂等の合成樹脂等が挙げられる。
【００２６】
本発明の床用艶出し剤において、上記ワックス基材の配合量は、床用艶出し剤１００重量部に対して、好ましい下限は０．５重量部、好ましい上限は５０重量部である。０．５重量部未満であると、床面の艶出し効果が不充分となることがあり、一方、５０重量部を超えると、床面にべたつき感が出て使用に適さないことがある。より好ましい下限は１重量部、より好ましい上限は２０重量部である。
【００２７】
上記溶剤としては特に限定されず、例えば、ミネラルスピリット、ミネラルターペン、ソルベントナフサ、テルペン油等等が挙げられる。
また、上記溶剤は、本発明の床用艶出し剤の艶出し剤としての性能を向上させるため、その目的に応じて種々のものが使用される。例えば、本発明の床用艶出し剤を床面上に塗布した後の乾燥を早める場合、上記溶剤としては、例えば、ジクロロエタン、トリクロロエタン等の塩素系炭化水素、エタノール、イソプロパノール、エチレングリコール等のアルコール類及びエーテル誘導体等を用いることが好ましい。本発明の床用艶出し剤を特に油や油脂の汚れの酷い床面上に使用する場合、上記溶剤としては、例えば、ジエチレングリコールモノエチルエーテル、トリエチレングリコールジメチルエーテル等のグリコール系溶剤、ヘキサン、ナフサ、ノルマルパラフィン等の石油系溶剤等を用いることが好ましい。
【００２８】
本発明の床用艶出し剤において、上記溶剤の配合量は、床用艶出し剤１００重量部に対して、好ましい下限は５０重量部、好ましい上限は９９重量部である。５０重量部未満であると、床用艶出し剤を床面に均一に塗り広げることが困難となることがあり、一方、９９重量部を超えると、上述したアレルゲン低減化効果や、艶出し効果を充分に得るためには、大量の床用艶出し剤が必要となることがある。より好ましい下限は８０重量部、より好ましい上限は９０重量部である。
【００２９】
本発明の床用艶出し剤には、アレルゲン低減化効果の有効性を阻害しない範囲で、必要に応じて、増粘剤、Ｔｗｅｅｎ等の界面活性剤、トリエタノールアミン石鹸等の乳化剤や水溶媒、着色剤、マスキング剤、消臭剤、可塑剤、帯電防止剤、殺菌剤、防カビ剤、害虫忌避剤、噴射剤等の添加剤が含有されていてもよい。
【００３０】
上記増粘剤は、本発明の床用艶出し剤の粘度を調整することができるものであれば特に限定されず、例えば、ポリアクリル酸、ポリアクリル酸ナトリウム、ポリビニルアルコール、カルボキシメチルセルロース、ポリアクリルアミド、ポリビニルピロリドン等の合成高分子化合物、カラギーナン、アルギン酸ナトリウム、アガロース、ゼラチン、ペクチン、キタンサンガム、マンナン、デンプン等の天然多糖類が挙げられる。
【００３１】
上記着色剤としては特に限定されず、例えば、赤色２号、青色１号、赤色２０２号、黄色２０１号、緑色２０４号、紫色２０１号等の有機色素；アルミニウム末、タクル、カオリン、ベントナイト、マイカ、チタン、ベンガラ、カラミン等の無機色素等が挙げられる。
【００３２】
上記マスキング剤としては特に限定されず、例えば、麝香、スカトール、ベンジルアセテート等が挙げられる。
【００３３】
上記消臭剤としては特に限定されず、例えば、ラウリル酸メタクリレートや各種フラボノイド類等が挙げられる。
【００３４】
上記可塑剤としては特に限定されず、例えば、トリブトキシエチルフォスフェート（ＴＢＸＰ）等のリン酸エステル類、ジブチルフタレート（ＤＢＰ）等のフタル酸エステル類、ジメチルアジピン酸等のアジピン酸エステル類、コハク酸エステル類、テトラブチルチンサクシネート等が挙げられる。
【００３５】
上記帯電防止剤としては特に限定されず、例えば、グリセリン脂肪酸エステル、ポリ（オキシエチレン）アルキルエーテル、Ｎ，Ｎ−ビス（２−ヒドロキシエチル）アルキルアミン、ポリ（オキシエチレン）アルキルアミン、ポリ（オキシエチレン）ジアミン等の低分子型帯電防止剤、ポリエチレンオキシド、ポリエーテルエステルアミド、４級アンモニウム塩、ポリエーテルアミドイミド、ポリエーテル・ポリオレフィンブロックポリマー等の高分子型帯電防止剤等が挙げられる。
【００３６】
上記殺菌剤としては特に限定されず、例えば、塩化ベンザルコニウム、塩化ベンゼトニウム、塩化アルキルトリメチルアンモニウム、レゾルシン、フェノール、ソルビン酸、サリチル酸、ヘキサクロロフェン等が挙げられる。
【００３７】
上記防カビ剤としては特に限定されず、例えば、２，４，４′−トリクロロ−２′−ハイドロキシジフェニルエーテル等が挙げられる。
これらの防カビ剤は、アスペルギルス属、ペニシリウム属、ケトミウム属等のカビ類を防除するのに有効である。
【００３８】
上記害虫忌避剤としては特に限定されず、例えば、レモングラス等が挙げられる。
上記防腐剤としては特に限定されず、例えば、ｐ−オキシ安息香酸メチル、ｐ−オキシ安息香酸エチル等が挙げられる。
【００３９】
上記噴射剤としては特に限定されず、例えば、フロン１１、フロン１２、フロン２１、フロン２２、フロン１１３、フロン１１４、メチルクロライド、イソブタン、炭酸ガス等が挙げられる。
上記噴射剤は、本発明の床用艶出し剤を噴霧型又は噴射型として用いる場合に使用される。
【００４０】
上記添加剤は、本発明の床用艶出し剤の床面艶出し効果を向上させるために添加されるものであるが、添加される種類や添加量としては特に限定されず、その目的等に応じて適宜変更、決定される。
上記添加剤を本発明の床用艶出し剤に配合する方法としては特に限定されず、従来公知の常法により配合することができる。
【００４１】
本発明の床用艶出し剤は、住居内の床面を構成する木材、ビニール材等の種々の床材に使用することができる他、ビニール製又は革製等のソファー等の家具、プラスチックや木製等の収納家具やおもちゃ等にも同様に使用することができる。
【００４２】
本発明の床用艶出し剤の使用量としては特に限定されず、通常、１〜５０ｍＬ／ｍ２程度であるが、上記アレルゲン低減化剤の量が床面１ｍ２あたり１ｍｇ〜１
０ｇ程度になるように散布されることが好ましい。上記アレルゲン低減化剤の量が１ｍ２あたり１ｍｇ未満であると、充分なアレルゲン低減化効果を得ることができなくなるおそれがある。上記アレルゲン低減化剤の量が１ｍ２あたり１０ｇ程度を超えて使用した場合、床面がベトベトになって後処理等が必要となることがある。
【００４３】
本発明のアレルゲン低減化効果を持つ床用艶出し剤を保存する容器としては、蓋付きの容器であれば特に限定されないが、使用上の便宜を考えスプレー、エアゾール容器等を用いることもできる。上記エアゾール容器は、従来の噴射用エアゾールと同様、耐圧容器と噴射バルブとから構成され、ノズルの形状は、用途に応じて適宜選択することができる。例えば、ノズル内の液通路を螺旋状にして噴射量を調整したり、噴射口を上面に設け更に容器側面にサイドボタンを装填して前方噴射型となせば使いやすくて便利である。
【００４４】
本発明の床用艶出し剤が持つアレルゲン低減化効果の対象とするアレルゲンとしては、動物性アレルゲン、花粉等の植物性アレルゲンが挙げられる。本発明の床用艶出し剤におけるアレルゲン低減化剤は、これらのアレルゲンの特異抗体との反応を抑えることにより、本剤を使用した場所のアレルゲンを低減化する。特に効果のある動物性アレルゲンとしては、ダニ類のアレルゲン（ダニ類、節足動物−蛛形綱−ダニ目の生物で、主に７つの亜目に分かれている。アシナガダニに代表される背気門、カタダニに代表される四気門、ヤマトマダニ、ツバメヒメダニに代表される後気門、イエダニ、スズメサシダニ代表される中気門、クワガタツメダニ、ナミホコリダニに代表される前気門、ケナガコナダニ、コナヒョウヒダニに代表される無気門、イエササラダニ、カザリヒワダニに代表される隠気門等）のいずれの種類でも対象となり得るが、室内塵中、特に寝具類に多く、アレルギー疾患の原因となるチリダニ科、ヒョウヒダニ類に特に効果がある。
【００４５】
本発明によれば、アレルゲン低減化効果を持つアレルゲン低減化剤が床用艶出し剤に含有されているので、生活空間の床面上に集積されたアレルゲンを安全に低減化させることができる。また、床用艶出し剤として家屋内の広い範囲の床面に施用することによりアレルゲン低減化剤が広範な生活空間に揮散し、又は、浸透して、狭い隙間や繊維組織内にまでアレルゲン低減化剤の効果が及び、アレルゲン低減の大きな効果が得られる。
【００４６】
【実施例】
以下に実施例を掲げて本発明を更に詳しく説明するが、本発明はこれら実施例のみに限定されるものではない。
【００４７】
（実施例１）
ポリエチレンワックス５重量部、アクリル酸エステル共重合体１５重量部、カラギーナン０．５重量部及びエタノール２．５重量部を加えたものに、アレルゲン低減化剤としてパラポリビニルフェノール１重量部とラウリルジフェニルエーテルジスルホン酸ジナトリウム２重量部を配合し、精製水７４重量部を加え混合攪拌することによりアレルゲン低減化効果を持つ床用艶出し剤を得た。
【００４８】
（実施例２）
アレルゲン低減化剤としてラウリルジフェニルエーテルジスルホン酸ジナトリウムをタンニン酸に代えた以外は、実施例１と同様にしてアレルゲン低減化効果を持つ床用艶出し剤を得た。
【００４９】
（実施例３）
アレルゲン低減化剤としてラウリルジフェニルエーテルジスルホン酸ジナトリウムを硫酸アルミニウムナトリウムに代えた以外は、実施例１と同様にしてアレルゲン低減化効果を持つ床用艶出し剤を得た。
【００５０】
（比較例１）
アレルゲン低減化剤のパラポリビニルフェノール及びラウリルジフェニルエーテルジスルホン酸ジナトリウムを除き、調整のため精製水を７９重量部にした以外は、実施例１と同様にして床用艶出し剤を得た。
【００５１】
（１）アレルゲン低減化効果の評価
実施例１〜３及び比較例１で得た床用艶出し剤を用いて以下の２種類のアレルゲン低減化効果の評価試験を行った。なお、評価試験は、ｎ＝３で行った。
【００５２】
▲１▼汚染面への効果の評価
ＬＳＬ社製のＭｉｔｅ　ＥｘｔｒａｃｔのＤｅｒ１量をＥＬＩＳＡ法により検定してアレルゲン溶液を調製し、フローリング床１ｍ２にアレルゲン量が約４０ｎｇとなるように上記アレルゲン溶液を噴霧した。
上記噴霧したアレルゲン溶液を乾燥させた後、実施例及び比較例で得た床用艶出し剤１０ｍＬを１ｍ２のフローリング床に滴下し、塗り広げた。
実施例及び比較例に係る床用艶出し剤を乾燥させた後、リン酸バッファー（０．１Ｍ：ｐＨ７．３５）に浸した不織布（１０ｃｍ×１０ｃｍ）で上記フローリング床の表面のアレルゲンを拭き取った。
上記アレルゲンを拭き取った不織布をリン酸バッファー（０．１Ｍ：ｐＨ７．３５）で抽出し、ＥＬＩＳＡ法を用いてアレルゲン量を測定した。
結果を表１に示した。
【００５３】
▲２▼ワックス処理後の汚染に対する効果の評価
実施例及び比較例に係る床用艶出し剤１０ｍＬを１ｍ２のフローリング床に滴下し、塗り広げた。
ＬＳＬ社製のＭｉｔｅ　ＥｘｔｒａｃｔのＤｅｒ１量をＥＬＩＳＡ法により検定してアレルゲン溶液を調製し、上記フローリング床１ｍ２にアレルゲン量が約４０ｎｇになるように上記アレルゲン溶液を噴霧した。
上記噴霧したアレルゲン溶液を乾燥させた後、リン酸バッファー（０．１Ｍ：ｐＨ７．３５）に浸した不織布（１０ｃｍ×１０ｃｍ）で上記フローリング床の表面のアレルゲンを拭き取った。
上記アレルゲンを拭き取った不織布をリン酸バッファー（０．１Ｍ：ｐＨ７．３５）で抽出し、ＥＬＩＳＡ法を用いてアレルゲン量を測定した。
結果を表２に示した。
【００５４】
（２）アレルギー症状改善評価
浴室以外の全ての床面（居間、寝室、廊下、台所）がフローリングである住居に居住している血中の総ＩｇＥ値が高いアレルギー喘息患者ボランティア２０名のうち、１０名（Ａ〜Ｊ）の住居のフローリング床面を実施例１に係る床用艶出し剤にて処理して実施区とし、残り１０名（Ｋ〜Ｔ）の住居のフローリング床面を比較例１に係る床用艶出し剤にて処理してプラセボ区とし、３ヶ月（５〜７月）にわたり生活させた。ダブルブラインドにて喘息症状の変化及び血中の総ＩｇＥ量の変化を測定することによりアレルギー症状改善効果を評価した。
なお、喘息症状の変化は、大発作を３点、中発作を２点、小発作を１点とし、実施前１週間の合計点数と３ヵ月後１週間の合計点数の変化で比較した。
結果を表３に示した。
【００５５】
【表１】
2004143266.tif 000002
【００５６】
【表２】
2004143266.tif 000003
【００５７】
【表３】
2004143266.tif 000004
【００５８】
表１より、実施例１〜３で作製した床用艶出し剤を使用することにより、既にアレルゲンにより汚染されているフローリング床面を低アレルゲン化することができるとともに、表２に示すように、ワックス処理後にフローリング床面を徐々に汚染するアレルゲンに対してもアレルゲン低減化効果が発揮される。
また、表３に示すように、喘息アレルギー患者の症状改善が見られた。
更に、血中の総ＩｇＥ量が減少することから、他のアレルギー症状についても改善の可能性がある。
【００５９】
【発明の効果】
本発明の床用艶出し剤は、生活空間内の床面に用いることにより、生活空間中のアレルゲンを低減化することができ、アレルギー疾患を抱える患者であってもアレルギー症状を起こすことなく快適に生活できる。また、床用艶出し剤であるため、家屋内の広い範囲に施用することにより大きなアレルゲン低減化効果を得ることができる。